(57)【要約】 【課題】  杭や柱を切断するとき、切断刃がそれら杭等に噛み込むおそれがなく、初期段階から切断最終段階に至るまでスムーズな切断を行う。【解決手段】  略円板状のブレード基盤３の外周部に半径方向に延びる複数の溝が周方向に間隔をあけて形成され、それら溝の間に形成される各突起５の先端に、切断用セグメント６がそれぞれ取り付けられてなる切断刃１を回転させて鉄筋コンクリート製の柱等の切断対象物を切断するものである。  切断用セグメント６を、ブレード基盤３の厚さ方向に交互にずらして千鳥状に取り付け、切断用セグメント６の変位を許容することにより、切断対象物が変位する場合でも切断対象物の間に切断刃が噛み込まれるのを防止する。【選択図】    図４
2005059384.tif 000002
【特許請求の範囲】
【請求項１】
略円板状のブレード基盤の外周部に半径方向に延びる複数の溝が周方向に間隔をあけて形成され、それら溝の間に形成される各突起の先端に、ブレード基盤よりも厚く設定された切断用セグメントがそれぞれ取り付けられてなる切断刃を回転させてコンクリート等の切断対象物を切断する際に、切断対象物の変位に伴い切断対象物の間に切断刃が噛み込まれるのを防止する切断刃の噛み込み防止方法であって、
前記切断用セグメントを前記ブレード基盤の厚さ方向に交互にずらして千鳥状に取り付けた切断刃で、前記切断対象物を切断することを特徴とする切断刃の噛み込み防止方法。
【請求項２】
略円板状のブレード基盤の外周部に半径方向に延びる複数の溝が周方向に間隔をあけて形成され、それら溝の間に形成される各突起の先端に、ブレード基盤よりも厚く設定された切断用セグメントがそれぞれ取り付けられてなる切断刃を回転させてコンクリート等の切断対象物を切断する切断刃であって、
前記切断用セグメントを前記ブレード基盤の厚さ方向に交互にずらして千鳥状に取り付けたことを特徴とする切断刃。
【請求項３】
略円板状のブレード基盤の外周に切断用セグメントが取り付けられてなる切断刃を回転させてコンクリート等の切断対象物を切断する際に、まず切断対象物をその左右両側を残して中央部分を前記切断刃により切断し、その切断された中央部分に切断対象物の変位を規制するスペーサ部材を介在させ、この状態で切断対象物の残りの左右両側を切断することを特徴とする切断刃の噛み込み防止方法。
【請求項４】
略円板状のブレード基盤の外周に切断用セグメントが取り付けられてなる切断刃を回転させてコンクリート等の切断対象物を切断する際に、まず切断対象物をその中央部分を残して左右両側を切断し、その切断された左右両側に切断対象物の変位を規制するスペーサ部材をそれぞれ介在させ、この状態で切断対象物の残りの中央部分を前記切断刃で切断することを特徴とする切断刃の噛み込み防止方法。
【発明の詳細な説明】
【技術分野】
【０００１】
本発明は、コンクリート製の柱等を切断する際の切断刃の噛み込み防止方法および切断刃に関する。
【背景技術】
【０００２】
既存の構造物を免震構造に改造する、いわゆる免震レトロフィットには、既存建物基礎下に免震装置を設置する基礎下免震と、既存柱の間に免震装置を設置する中間階免震がある。
基礎下免震では、杭を使用した基礎の場合既存杭を切断して、また、中間階免震では、既存柱を切断して免震装置を設置する必要がある。いずれにしても既存の杭や柱を切断することが必要になるが、従来一般に、既存の杭や柱を切断には、ワイヤーソーが用いられていた（例えば、特許文献１参照）。
【特許文献１】特開平７−１８９５０２号公報
【発明の開示】
【発明が解決しようとする課題】
【０００３】
しかしながら、ワイヤーソーを用いた従来の杭等の切断方法は、切断速度そのものは速いが、以下のような欠点があった。
・  ワイヤを、切断する杭の所定箇所に位置決めしなければならず、プーリの設置段取り  等や、盛り替えに時間がかかる。
・  切断面に曲がりが生じ、切断したブロックを引き出すことができない場合が多く、切  断後にはつり作業が必要となり、結果的に切断に要する時間が長くなる。
・  コストが高い。
・  ワイヤーが切れた場合に該ワイヤーが飛び出す可能性がある箇所を予め隔離するため  、安全柵を設ける等の別途特別な安全対策が必要になる。
【０００４】
そこで、本発明者等は、略円板状のブレード基盤の外周に切断用セグメントが取り付けられた切断刃を回転させることによって、杭や柱を切断することを考えた。
ところが、このような切断刃を用いた切断の場合、切断終了間際に柱や杭の沈下が生じる際に、刃先が挟まれて切断刃の回転が行えなくなるばかりか、その位置から切断刃を引き抜くこともできなくなり、いわば切断刃が噛み込み状態になるおそれがあることがわかった。
なお、切断する杭や柱の間近でジャッキによりサポートしている場合には、杭等の沈下はほとんど生じないが、ジャッキ受けしていない場合には、沈下が生じ、上述のように切断刃が噛み込み状態になるおそれがある。
【０００５】
本発明は、上記事情に鑑みてなされたものであり、杭や柱を切断するとき、切断刃がそれら杭等に噛み込むおそれがなく、初期段階から切断終了段階に至るまでスムーズな切断が行える、切断刃の噛み込み防止方法及び切断刃を提供することを目的とする。
【課題を解決するための手段】
【０００６】
請求項１記載の発明は、略円板状のブレード基盤の外周部に半径方向に延びる複数の溝が周方向に間隔をあけて形成され、それら溝の間に形成される各突起の先端に、ブレード基盤よりも厚く設定された切断用セグメントがそれぞれ取り付けられてなる切断刃を回転させてコンクリート等の切断対象物を切断する際に、切断対象物の変位に伴い切断対象物の間に切断刃が噛み込まれるのを防止する切断刃の噛み込み防止方法であって、
前記切断用セグメントを前記ブレード基盤の厚さ方向に交互にずらして千鳥状に取り付けた切断刃で、前記切断対象物を切断することを特徴としている。
【０００７】
請求項２記載の発明は、略円板状のブレード基盤の外周部に半径方向に延びる複数の溝が周方向に間隔をあけて形成され、それら溝の間に形成される各突起の先端に、ブレード基盤よりも厚く設定された切断用セグメントがそれぞれ取り付けられてなる切断刃を回転させてコンクリート等の切断対象物を切断する切断刃であって、
前記切断用セグメントを、前記ブレード基盤の厚さ方向に交互にずらして千鳥状に取り付けたことを特徴としている。
【０００８】
請求項３記載の発明は、略円板状のブレード基盤の外周に切断用セグメントが取り付けられてなる切断刃を回転させてコンクリート等の切断対象物を切断する際に、まず切断対象物をその左右両側を残して中央部分を前記切断刃により切断し、その切断された中央部分に切断対象物の変位を規制するスペーサ部材を介在させ、この状態で切断対象物の残りの左右両側を切断することを特徴としている。
【０００９】
請求項４記載の発明は、円板状のブレード基盤の外周に切断用セグメントが取り付けられてなる切断刃を回転させてコンクリート等の切断対象物を切断する際に、まず切断対象物をその中央部分を残して左右両側を切断し、その切断された左右両側に切断対象物の変位を規制するスペーサ部材をそれぞれ介在させ、この状態で切断対象物の残りの中央部分を前記切断刃で切断することを特徴としている。
【発明の効果】
【００１０】
請求項１にかかる発明によれば、切断用セグメントをブレード基盤の厚さ方向に交互にずらして千鳥状に取り付けた切断刃で切断するから、杭等を切断する際に切断終了間際に杭等が沈下する場合に、ブレード基盤の外周部の突起がそれぞれ撓んで切断刃の実質な厚さを薄くする。このため、杭等の沈下量が所定範囲内であれば、切断刃が杭等に噛み込まれるのを未然に防止できる。
【００１１】
請求項２にかかる発明によれば、前述の請求項１にかかる発明と同様、ブレード基盤の外周部の突起がそれぞれ撓んで切断刃の実質な厚さを薄くし、切断刃が杭等に噛み込まれるのを未然に防止できる。
【００１２】
請求項３にかかる発明によれば、まず、切断刃によって杭等の切断対象物に対し、その左右両側を残して中央部分を前記切断刃により切断する。そして、切断された中央部分にスペーサ部材を介在させる。この状態で切断対象物の残りの左右両側を切断する。したがって、切断終了間際に杭等が沈下しようとする場合でも、前記介在させたスペーサ部材によって切断対象物の変位を規制するので、杭等の沈下を抑制できる。この結果、切断刃の噛み込みを防止できる。
【００１３】
請求項４にかかる発明によれば、まず、コンクリート製の杭等の切断対象物に対し、中央部分を残して左右両側を切断する。そして、切断された左右両側にスペーサ部材を介在させる。この状態で切断対象物の残りの中央部分を切断刃で切断する。したがって、切断終了間際に杭等が沈下しようとする場合でも、前記介在させたスペーサ部材によって切断対象物の変位を規制するので、杭等の沈下を抑制できる。この結果、切断刃の噛み込みを防止できる。
【発明を実施するための最良の形態】
【００１４】
＜第１実施形態＞
以下、本発明に係る切断刃の噛み込み防止方法及び切断刃の第１実施形態について、図１〜図５に基いて説明する。
切断刃の噛み込み防止方法を説明する前にまず切断刃について説明する。切断刃１は、例えば、鉄筋コンクリート製の杭や柱等を切断するものであり（図１では柱２を切断する例を示す）、略円板状のブレード基盤３の外周部に半径方向に延びる複数の溝４…が周方向に間隔をあけて形成され、それら溝４…の間に形成される各突起５の先端に、厚さをブレード基盤３よりも厚く設定された切断用セグメント６がそれぞれ取り付けられてなるものである。前記ブレード基盤３は、鋼等の適宜弾性材料から作られる。
【００１５】
ここで、切断用セグメント６は、コンクリートや鉄筋を切断可能な材料、例えば砥粒を含む金属または樹脂をベースに作られる砥粒結合層からなっており、ブレード基盤３の厚さ方向の一側（図２（ａ）における上側）と他側（図２（ａ）における下側）に交互にずらして千鳥状に取り付けられている。すなわち、図２（ａ）に示すように、一の切断用セグメント６（６ａ）は、突起５に対し、その下面が突起５の下面と面一とされ、かつ、その上面が突起５の上面から上方へ所定高さ突出するように取り付けられ、それに隣り合う他の切断用セグメント６（６ｂ）は、その上面が突起５の上面と面一とされ、かつ、その下面が突起５の下面から下方へ所定高さ突出するように取り付けられている。このように上側へずれる一の切断用セグメント６（６ａ）と下方へずれる他の切断用セグメント６（６ｂ）とが、交互に突起５に対して取り付けられている。
なお、参考のため、図２（ｂ）には、一般的に使用される切断刃の拡大正面図を示す。ここでは、複数の切断用セグメントＣがその厚さ方向中心を、ブレード基盤Ｄの厚さ方向中心と一致するように取り付けられている。
【００１６】
また、この図２（ａ）で示す例では、上側にずれて取り付けられる一の切断用セグメント６（６ａ）と、下側にずれて取り付けられる他の切断用セグメント６（６ｂ）とが、それぞれ突起５の上面あるいは下面と面一になるように取り付けられているが、これに限られることはない。例えば、上側にずれて取り付けられる一の切断用セグメント６（６ａ）の場合、その下面が突起５の下面と必ずしも面一になるように取り付けられる必要はなく、突起５の下面から上側へずれて取り付けられてもあるいは下側へずれて取り付けられてもよい。また、下側にずれて取り付けられる他の切断用セグメント６（６ｂ）の場合も、同様に、その上面が突起５の上面から下側へずれて取り付けられてもあるいは上側へずれていて取り付けられてもよい。要は、一の切断用セグメント６（６ａ）と他の切断用セグメント６（６ｂ）が、突起５の厚さ方向中心線から一側と他側に交互にずれて取り付けられていれば足りる。
また、ここで示す切断刃１の場合、図２（ｂ）で示すような一般的に用いられる切断刃に比べて溝４の深さＬが長く設定されている。例えば、半径６１０ｍｍの切断刃１の場合、通常、溝深さＬが２０ｍｍ程度に設定されているが、ここでは、溝深さＬが４０ｍｍ〜５０ｍｍに設定されている。
【００１７】
次に、前記切断刃１を用いた切断方法及びそのときの切断刃の噛み込み防止方法について説明する。
図１に示す柱２の下部を切断する場合には、上記構成の切断刃１を柱２に対して接近した位置で水平状態となるようにセットし、該切断刃１を回転させながら柱２にさらに近づけて柱２の下部所定個所を切断する。このときの切断状況を図４に示す。
そして、切断終了間近になって、柱２が建物の自重等により沈下する場合には、該柱２からの荷重により、ブレード基盤２の外周部の突起２が、図５（ａ）（ｂ）に示すようにそれぞれ撓んで、切断刃１の実質な厚さを薄くする。すなわち、図２に示すように、切断用セグメントが高さ方向に交互にずれて取り付けられているため、切断刃１としての厚さは自然状態の場合Ｗａであったが、各突起５がそれぞれ撓むことにより、切断刃１の実質的な厚さがＷｂとなる。つまり、柱２の沈下量が、ＷａーＷｂの範囲内であれば、切断刃１は理論的には、柱２に噛み込まれることはない。
【００１８】
＜第２実施形態＞
本発明に係る切断刃の噛み込み防止方法の第２実施形態について、図６、図７に基いて説明する。
ここでは、柱１０に対して２段階の切断を行って、より切断刃の噛み込みを防止した例を示す。
【００１９】
すなわち、第１段階として、図２（ｂ）で示したように一般的な形状ではあるが、切断用セグメント１１の厚さを通常のものより厚く設定した切断刃１２（例えば、半径３８０ｍｍの切断刃の場合、通常、セグメント厚さＷｃを６ｍｍ程度に設定されているが、ここでは、セグメント厚さＷｃを８ｍｍ〜１０ｍｍに設定されている）を用い、柱１０の左右両側を残して中央部分を切断する。次に、図７で示すように、切断用セグメント６をブレード基盤３の厚さ方向の一側と他側に交互にずらして千鳥状に取り付けた切断刃１（図２（ａ）参照）により、柱１０の残りの左右両側１０ａを切断する。この場合、切断用セグメント６を千鳥状に取り付けた切断刃１は、柱１０の中央部分を切断する前記切断刃１２よりも大径のもの、具体的にはその直径を柱１０の直径よりも大きな値に設定されたものであって、かつその厚さを前記切断刃１２よりも薄く設定されたものを用いる。
【００２０】
このように、切断用セグメント１１を厚く設定した切断刃１２を用いてまず柱１０の中央部分１０ｂを切断し、その後、切断用セグメント６を千鳥状に取り付けた切断刃１で柱の左右両側１０ａを切断する、いわゆる２段階に切断を行うので、前述の第１実施形態で説明した切断方法に比べて、後工程の柱を完全に切断する際に、柱中央部分１０ｂの切断面とブレード基盤３とのクリアランスをできるだけ大きくとることができ、このため、切断刃１の噛み込みやブレード基盤３と柱１０の切断面のせりの発生するリスクを低減することができる。
【００２１】
＜第３実施形態＞
本発明に係る切断刃の噛み込み防止方法の第３実施形態について、図８に基いて説明する。
図８（ａ）で示すように、まず、柱２０の下部中央に、ビット等の適宜穿孔手段により貫通孔２１をあける。次いで、この貫通孔２１を利用して柱２０の下部の左右両側２０ａを残したた中央部分２０ｂを切断刃で切断する。切断部分を符合２２で示す。このときの切断刃は、前記図２（ａ）で示した切断用セグメントを千鳥状に取り付けたもの、あるいは図２（ｂ）に示した切断用セグメントをブレード基盤の厚さ方向中央部に取り付けたもののいずれであってもよい。要は、略円板状のブレード基盤の外周に切断用セグメントが取り付けられた切断刃を回転させて、鉄筋コンクリート製の柱等を切断できるものであれば足りる。
【００２２】
なお、ここで柱２０の下部中央に事前に貫通孔２１を設けるのは、回転式の切断刃を回転させるにあたり、例えば油圧式のプランジカッタを用いる場合には、切断刃の中心を回転支持部によって回転可能に支持するが、柱２０を切断する際、この回転支持部が柱２０の外周面と干渉するため、理論的に切断刃の半径の長さしか切断できないが、回転支持部を貫通孔２１に通すことにより、回転支持部と柱２０との干渉を防ぎ、切断刃の半径以上でも切断が可能になるためである。また、貫通孔２１は、切断刃で切断する際、切断刃を案内するガイド機能も果たす。
【００２３】
次いで、図８（ｂ）に示すように、柱２０の下部の切断された中央部分に、柱２０の変位（建物の自重による沈下）を規制するくさび等のスペーサ部材２３を介在させる。スペーサ部材２３は、その形状及び個数は問わず、切断終了時に柱が沈下しようとするとき、その変位を規制できるものであればよい。
そして、この状態で図８（ｃ）に示すように、柱２０の下部の残る左右両側２０ａをそれぞれ切断する。柱２０の左右両側２０ａを切断するにあたり、図８（ｃ）では、コアボーリングによって切断する例を示しているが、これに限られることなく、切断刃を回転させて切断しても良い。なお、図８（ｃ）において符合２４はコアボーリングによって明けられた孔を示す。
【００２４】
この第３実施形態によれば、まず、切断刃によって鉄筋コンクリート製の柱２０に対し、その左右両側２０ａを残して中央部分２０ｂを切断刃により切断し、この切断された中央部分２０ｂにスペーサ部材２３を介在させ、この状態で柱２０の残りの左右両側２０ａを切断するから、切断終了間際に柱２０が沈下しようとする場合でも、介在させたスペーサ部材２３によって柱２０の変位を規制できる。この結果、柱２０の中央部分２０ｂを切断刃を回転させて切断するとき、あるいは、その後の柱２０の左右両側２０ａを切断刃を回転させて切断するときでも、それら切断刃が切断した柱２０の間に噛み込のを防止できる。
【００２５】
＜第４実施形態＞
本発明に係る切断刃の噛み込み防止方法の第４実施形態について、図９に基いて説明する。
図９（ａ）で示すように、まず、柱３０の下部中央に、ビット等の適宜穿孔手段により貫通孔３１をあける。これとともに、柱３０の下部中央部分３０ｂを残して左右両側３０ａを、例えばコアボーリングによりスペーサ挿入用孔３２をあけて切断する。なお、柱３０の下部の左右両側３０ａの切断は、必ずしもコアボーリングによる必要はなく、図２（ａ）あるいは図２（ｂ）で示すような、切断刃の回転によって切断してもよい。
【００２６】
次いで、図９（ｂ）に示すように、柱３０の下部の切断した左右両側３０ａにくさび等のスペーサ部材３３を介在させる。そして、この状態で柱３０の下部の残りの中央部分３０ｂを図２（ａ）あるいは図２（ｂ）で示すような切断刃３４で切断する。すなわち、前記柱３０の中央にあけた貫通孔３１を、ガイド用としてまた切断刃回転支持部挿通用として利用することにより、柱３０の下部の中央部分３０ｂを切断する。
【００２７】
この第４の実施形態によれば、まず、柱３０に対し、中央部分３０ｂを残して左右両側３０ａを切断し、この切断した左右両側３０ａにスペーサ部材３３を介在させ、この状態で柱３０の残りの中央部分を切断刃３４で切断するから、切断終了間際に柱３０が沈下しようとする場合でも、介在させたスペーサ部材３３によって柱３０の変位を規制できる。この結果、切断刃３４の噛み込みを防止できる。
【００２８】
以上、本発明に係る各実施形態について説明したが、本発明は上述した実施形態に限定されるものではなく、その趣旨を逸脱しない範囲で適宜変更可能である。例えば、上述した各実施形態では柱を切断する場合を例に挙げて説明したが、これに限られることなく、杭を切断する場合でも本発明は勿論適用可能である。
【図面の簡単な説明】
【００２９】
【図１】本発明に係る切断刃の噛み込み防止方法の第１実施形態を説明する斜視図である。
【図２】本発明に係る切断刃を説明するための図であり、（ａ）は切断刃の一部の正面図である。（ｂ）は比較のために示す従来の切断刃の一部の正面図である。
【図３】本発明に係る切断刃の一部の拡大平面図である。
【図４】本発明に係る切断刃の噛み込み防止方法の第１実施形態を説明する断面図である。
【図５】本発明に係る切断刃の噛み込み防止方法の第１実施形態を説明するための図であり、（ａ）は断面図、（ｂ）は正面図である。
【図６】本発明に係る切断刃の噛み込み防止方法の第２実施形態の工程を説明する図であり、（ａ）は縦断面図、（ｂ）は横断面図である。る。
【図７】本発明に係る切断刃の噛み込み防止方法の第２実施形態の工程を説明する図であり、（ａ）は縦断面図、（ｂ）は横断面図である。
【図８】本発明に係る切断刃の噛み込み防止方法の第３実施形態の工程を説明する図であり、（ａ）、（ｂ）、（ｃ）ともに横断面図と側面図である。
【図９】本発明に係る切断刃の噛み込み防止方法の第４実施形態の工程を説明する図であり、（ａ）、（ｂ）、（ｃ）ともに横断面図と側面図である。
【符号の説明】
【００３０】
１，１２，３４  切断刃
２、１０，２０，３０  柱
３  ブレード基盤
４  溝
５  突起
６（６ａ，６ｂ），１１  切断用セグメント
２１，３１  貫通孔  
２２  切断部分
２３，３３  スペーサ部材（くさび）
【図１】
2005059384.tif 000003
【図２】
2005059384.tif 000004
【図３】
2005059384.tif 000005
【図４】
2005059384.tif 000006
【図５】
2005059384.tif 000007
【図６】
2005059384.tif 000008
【図７】
2005059384.tif 000009
【図８】
2005059384.tif 000010
【図９】
2005059384.tif 000011